(57)【要約】      （修正有）【課題】携帯移動端末とサイネージ端末との間において、携帯移動端末およびサイネージ端末の一方の表示部に現在表示されている内容についての表示情報のやり取りを簡単に行うことができるアプリケーションソフトウェアを提供する。【解決手段】アプリケーションソフトウェアは、携帯移動端末１１０のユーザーの所定操作により、携帯移動端末１１０およびサイネージ端末１２０の一方の表示部１１１、１２１で表示している内容についての表示情報を、携帯移動端末１１０およびサイネージ端末１２０の他方へ提供する表示情報提供ステップと、携帯移動端末１１０およびサイネージ端末１２０の他方が、提供された表示情報に基づいて表示部１１１、１２１で表示する表示ステップとを端末（１１０、１２０）に実行させる。【選択図】図１
2019045941.tif 000002
【特許請求の範囲】
【請求項１】
携帯移動端末とサイネージ端末との間で情報をやり取りするアプリケーションソフトウェアであって、
前記携帯移動端末のユーザーの所定操作により、携帯移動端末およびサイネージ端末の一方の表示部で表示している内容についての表示情報を、携帯移動端末およびサイネージ端末の他方へ提供する表示情報提供ステップと、
前記携帯移動端末およびサイネージ端末の他方が、提供された表示情報に基づいて表示部で一方の表示部に表示された内容の少なくとも一部と同じ内容、表示された内容と関連のある内容、または表示情報の提供を受けた旨の内容を表示する表示ステップとを端末に実行させることを特徴とするアプリケーションソフトウェア。
【請求項２】
前記表示情報提供ステップは、サイネージ端末の表示部に表示された内容についての表示情報がサイネージ端末において２次元コードで表示され、携帯移動端末のカメラ部を用いてサイネージ端末に表示された２次元コードを読み取る携帯移動端末側読み取りステップであり、
前記表示ステップは、携帯移動端末が、読み取った２次元コードに記載された表示情報に基づいて表示部でサイネージ端末の表示部に表示された内容の少なくとも一部と同じ内容、表示された内容と関連のある内容、または表示情報の提供を受けた旨の内容を表示する携帯移動端末側表示ステップであることを特徴とする請求項１に記載のアプリケーションソフトウェア。
【請求項３】
前記表示情報提供ステップは、携帯移動端末の表示部に表示された内容についての表示情報が携帯移動端末において２次元コードで表示され、サイネージ端末のカメラ部を用いて携帯移動端末に表示された２次元コードを読み取るサイネージ端末側読み取りステップであり、
前記表示ステップは、サイネージ端末が、読み取った２次元コードに記載された表示情報に基づいて表示部で携帯移動端末の表示部に表示された内容の少なくとも一部と同じ内容、表示された内容と関連のある内容、または表示情報の提供を受けた旨の内容を表示するサイネージ端末側表示ステップであることを特徴とする請求項１または請求項２に記載のアプリケーションソフトウェア。
【請求項４】
前記携帯移動端末とサイネージ端末との間で互いの相手端末情報を取得して互いに相手端末を特定する相手特定ステップをさらに具備し、
前記表示情報提供ステップは、携帯移動端末におけるユーザーの第１所定操作により、サイネージ端末に表示された表示部の表示情報を携帯移動端末がサイネージ端末に要求し、サイネージ端末が表示情報を送信し、携帯移動端末が表示情報を受信するサイネージ端末側表示情報提供ステップであり、
前記表示ステップは、携帯移動端末が受信した表示情報に基づいて表示部でサイネージ端末の表示部に表示された内容の少なくとも一部と同じ内容、表示された内容と関連のある内容、または表示情報の提供を受けた旨の内容を表示する携帯移動端末側表示ステップであることを特徴とする請求項１に記載のアプリケーションソフトウェア。
【請求項５】
前記携帯移動端末とサイネージ端末との間で互いの相手端末情報を取得して互いに相手端末を特定する相手特定ステップをさらに具備し、
前記表示情報提供ステップは、携帯移動端末におけるユーザーの第２所定操作により、携帯移動端末に表示された表示部の表示情報を送信し、サイネージ端末が表示情報を受信する携帯移動端末側表示情報提供ステップであり、
前記表示ステップは、サイネージ端末が受信した表示情報に基づいて表示部で携帯移動端末の表示部に表示された内容の少なくとも一部と同じ内容、表示された内容と関連のある内容、または表示情報の提供を受けた旨の内容を表示するサイネージ端末側表示ステップであることを特徴とする請求項１または請求項４に記載のアプリケーションソフトウェア。
【請求項６】
前記第１所定操作が、サイネージ端末側から携帯移動端末側へのスワイプ操作であることを特徴とする請求項４に記載のアプリケーションソフトウェア。
【請求項７】
前記第２所定操作が、携帯移動端末側からサイネージ端末側へのスワイプ操作であることを特徴とする請求項５に記載のアプリケーションソフトウェア。
【請求項８】
前記表示情報が、通信ネットワーク上のリソース特定情報であるユニフォーム・リソース・ロケータ情報、または、前記ユニフォーム・リソース・ロケータより短く、かつ、前記ユニフォーム・リソース・ロケータへ転送する短縮ユニフォーム・リソース・ロケータ情報であることを特徴とする請求項１乃至請求項７のいずれかに記載のアプリケーションソフトウェア。
【請求項９】
第１携帯移動端末と第２携帯移動端末との間で情報をやり取りするアプリケーションソフトウェアであって、
前記第１携帯移動端末と第２携帯移動端末との間で互いの相手端末情報を取得して互いに相手端末を特定する相手特定ステップと、
前記第１携帯移動端末のユーザーの第１携帯移動端末の表示部におけるスワイプ操作により、第１携帯移動端末および第２携帯移動端末の一方の表示部で表示している内容についての表示情報を、第１携帯移動端末および第２携帯移動端末の他方へ提供する表示情報提供ステップと、
前記第１携帯移動端末および第２携帯移動端末の他方が、提供された表示情報に基づいて表示部で一方の表示部に表示された内容の少なくとも一部と同じ内容、表示された内容と関連のある内容、または表示情報の提供を受けた旨の内容を表示する表示ステップとを端末に実行させることを特徴とするアプリケーションソフトウェア。
【発明の詳細な説明】
【技術分野】
【０００１】
本発明は、携帯移動端末とサイネージ端末との間で情報をやり取りするアプリケーションソフトウェア、および第１携帯移動端末と第２携帯移動端末との間で情報をやり取りするアプリケーションソフトウェアに関する。
【背景技術】
【０００２】
従来、ユーザーは、受けたいサービスの情報が表示されるサイネージ機器にユーザー端末を接近させる。これにより、サイネージ機器とユーザー端末との間で近距離無線通信による通信が行われ、サイネージ機器からユーザー端末に対して、サイネージ機器を識別する機器ＩＤと、サイネージ機器が提示するサービスを識別するサービスＩＤとがユーザー端末に送信される情報処理システムが知られている（例えば、特許文献１参照）。
【先行技術文献】
【特許文献】
【０００３】
【特許文献１】特開２０１７−１３４８４５号公報（特に段落００１６〜００１９）
【発明の概要】
【発明が解決しようとする課題】
【０００４】
しかしながら、上述した従来の情報処理システムにおいて、ユーザー端末は、ユーザーの操作に応じて、サーバ装置に対して機器ＩＤとサービスＩＤとを送信する。サーバ装置は、ユーザー端末から送信された機器ＩＤとサービスＩＤとを受信する。サーバ装置は、ユーザー端末から受信して取得した機器ＩＤとサービスＩＤとに基づき、サービスを実行するためのワークフロー（ＷＦ）を選択する限りの構成であったため、ユーザー端末の表示部に現在表示された内容またはサイネージ機器の表示部に現在表示された内容について、両者の間でやり取りすることが困難であるという問題があった。
【０００５】
そこで、本発明は、前述したような従来技術の問題を解決するものであって、すなわち、本発明の目的は、携帯移動端末とサイネージ端末との間において、携帯移動端末およびサイネージ端末の一方の表示部に現在表示されている内容についての表示情報のやり取りを簡単に行うことができるアプリケーションソフトウェア、ならびに、第１携帯移動端末と第２携帯移動端末との間において、第１携帯移動端末および第２携帯移動端末の一方の表示部に現在表示されている内容についての表示情報のやり取りを簡単に行うことができるアプリケーションソフトウェアを提供することである。
【課題を解決するための手段】
【０００６】
本請求項１に係る発明は、携帯移動端末とサイネージ端末との間で情報をやり取りするアプリケーションソフトウェアであって、前記携帯移動端末のユーザーの所定操作により、携帯移動端末およびサイネージ端末の一方の表示部で表示している内容についての表示情報を、携帯移動端末およびサイネージ端末の他方へ提供する表示情報提供ステップと、前記携帯移動端末およびサイネージ端末の他方が、提供された表示情報に基づいて表示部で一方の表示部に表示された内容の少なくとも一部と同じ内容、表示された内容と関連のある内容、または表示情報の提供を受けた旨の内容を表示する表示ステップとを端末に実行させることにより、前述した課題を解決するものである。
【０００７】
本請求項２に係る発明は、請求項１に記載されたアプリケーションソフトウェアの構成に加えて、前記表示情報提供ステップは、サイネージ端末の表示部に表示された内容についての表示情報がサイネージ端末において２次元コードで表示され、携帯移動端末のカメラ部を用いてサイネージ端末に表示された２次元コードを読み取る携帯移動端末側読み取りステップであり、前記表示ステップは、携帯移動端末が、読み取った２次元コードに記載された表示情報に基づいて表示部でサイネージ端末の表示部に表示された内容の少なくとも一部と同じ内容、表示された内容と関連のある内容、または表示情報の提供を受けた旨の内容を表示する携帯移動端末側表示ステップであることにより、前述した課題をさらに解決するものである。
【０００８】
本請求項３に係る発明は、請求項１または請求項２に記載されたアプリケーションソフトウェアの構成に加えて、前記表示情報提供ステップは、携帯移動端末の表示部に表示された内容についての表示情報が携帯移動端末において２次元コードで表示され、サイネージ端末のカメラ部を用いて携帯移動端末に表示された２次元コードを読み取るサイネージ端末側読み取りステップであり、前記表示ステップは、サイネージ端末が、読み取った２次元コードに記載された表示情報に基づいて表示部で携帯移動端末の表示部に表示された内容の少なくとも一部と同じ内容、表示された内容と関連のある内容、または表示情報の提供を受けた旨の内容を表示するサイネージ端末側表示ステップであることにより、前述した課題をさらに解決するものである。
【０００９】
本請求項４に係る発明は、請求項１に記載されたアプリケーションソフトウェアの構成に加えて、前記携帯移動端末とサイネージ端末との間で互いの相手端末情報を取得して互いに相手端末を特定する相手特定ステップをさらに具備し、前記表示情報提供ステップは、携帯移動端末におけるユーザーの第１所定操作により、サイネージ端末に表示された表示部の表示情報を携帯移動端末がサイネージ端末に要求し、サイネージ端末が表示情報を送信し、携帯移動端末が表示情報を受信するサイネージ端末側表示情報提供ステップであり、前記表示ステップは、携帯移動端末が受信した表示情報に基づいて表示部でサイネージ端末の表示部に表示された内容の少なくとも一部と同じ内容、表示された内容と関連のある内容、または表示情報の提供を受けた旨の内容を表示する携帯移動端末側表示ステップであることにより、前述した課題をさらに解決するものである。
【００１０】
本請求項５に係る発明は、請求項１または請求項４に記載されたアプリケーションソフトウェアの構成に加えて、前記携帯移動端末とサイネージ端末との間で互いの相手端末情報を取得して互いに相手端末を特定する相手特定ステップをさらに具備し、前記表示情報提供ステップは、携帯移動端末におけるユーザーの第２所定操作により、携帯移動端末に表示された表示部の表示情報を送信し、サイネージ端末が表示情報を受信する携帯移動端末側表示情報提供ステップであり、前記表示ステップは、サイネージ端末が受信した表示情報に基づいて表示部で携帯移動端末の表示部に表示された内容の少なくとも一部と同じ内容、表示された内容と関連のある内容、または表示情報の提供を受けた旨の内容を表示するサイネージ端末側表示ステップであることにより、前述した課題をさらに解決するものである。
【００１１】
本請求項６に係る発明は、請求項４に記載されたアプリケーションソフトウェアの構成に加えて、前記第１所定操作が、サイネージ端末側から携帯移動端末側へのスワイプ操作であることにより、前述した課題をさらに解決するものである。
【００１２】
本請求項７に係る発明は、請求項５に記載されたアプリケーションソフトウェアの構成に加えて、前記第２所定操作が、携帯移動端末側からサイネージ端末側へのスワイプ操作であることにより、前述した課題をさらに解決するものである。
【００１３】
本請求項８に係る発明は、請求項１乃至請求項７のいずれかに記載されたアプリケーションソフトウェアの構成に加えて、前記表示情報が、通信ネットワーク上のリソース特定情報であるユニフォーム・リソース・ロケータ情報、または、前記ユニフォーム・リソース・ロケータより短く、かつ、前記ユニフォーム・リソース・ロケータへ転送する短縮ユニフォーム・リソース・ロケータ情報であることにより、前述した課題をさらに解決するものである。
【００１４】
本請求項９に係る発明は、第１携帯移動端末と第２携帯移動端末との間で情報をやり取りするアプリケーションソフトウェアであって、前記第１携帯移動端末と第２携帯移動端末との間で互いの相手端末情報を取得して互いに相手端末を特定する相手特定ステップと、前記第１携帯移動端末のユーザーの第１携帯移動端末の表示部におけるスワイプ操作により、第１携帯移動端末および第２携帯移動端末の一方の表示部で表示している内容についての表示情報を、第１携帯移動端末および第２携帯移動端末の他方へ提供する表示情報提供ステップと、前記第１携帯移動端末および第２携帯移動端末の他方が、提供された表示情報に基づいて表示部で一方の表示部に表示された内容の少なくとも一部と同じ内容、表示された内容と関連のある内容、または表示情報の提供を受けた旨の内容を表示する表示ステップとを端末に実行させることにより、前述した課題を解決するものである。
【発明の効果】
【００１５】
本発明のアプリケーションソフトウェアは、携帯移動端末とサイネージ端末との間で情報をやり取りすることができるばかりでなく、以下のような特有の効果を奏することができる。
【００１６】
本請求項１に係る発明のアプリケーションソフトウェアによれば、所定操作により携帯移動端末およびサイネージ端末の一方の表示部に表示された内容についての表示情報が他方に提供されて一方の表示部に表示された内容の少なくとも一部と同じ内容、表示された内容と関連のある内容、または表示情報の提供を受けた旨の内容が携帯移動端末およびサイネージ端末の他方の表示部に表示されるため、携帯移動端末のユーザーは、携帯移動端末およびサイネージ端末の一方の表示部に現在表示されている内容についての表示情報のやり取りを簡単に行うことができる。
【００１７】
本請求項２に係る発明のアプリケーションソフトウェアによれば、請求項１に係る発明が奏する効果に加えて、２次元コードによって表示情報が表示され、それをカメラ部で読み取ることでサイネージ端末から携帯移動端末へ表示情報が直接提供されるため、携帯移動端末のユーザーは、サイネージ端末と携帯移動端末との間のセキュリティの問題なく表示情報のやり取りを行うことができる。
【００１８】
本請求項３に係る発明のアプリケーションソフトウェアによれば、請求項１または請求項２に係る発明が奏する効果に加えて、２次元コードによって表示情報が表示され、それをカメラ部で読み取ることで携帯移動端末からサイネージ端末へ表示情報が直接提供されるため、携帯移動端末のユーザーは、サイネージ端末と携帯移動端末との間のセキュリティの問題なく表示情報のやり取りを行うことができる。
【００１９】
本請求項４に係る発明のアプリケーションソフトウェアによれば、請求項１に係る発明が奏する効果に加えて、第１所定操作によりサイネージ端末の表示部に表示された内容の少なくとも一部と同じ内容、表示された内容と関連のある内容、または表示情報の提供を受けた旨の内容が携帯移動端末の表示部に表示されるため、携帯移動端末のユーザーは、サイネージ端末の表示部に現在表示されている内容についての表示情報のやり取りを簡単に行うことができる。
【００２０】
本請求項５に係る発明のアプリケーションソフトウェアによれば、請求項１または請求項４に係る発明が奏する効果に加えて、第２所定操作により携帯移動端末の表示部に表示された内容の少なくとも一部と同じ内容、表示された内容と関連のある内容、または表示情報の提供を受けた旨の内容がサイネージ端末の表示部に表示されるため、携帯移動端末のユーザーは、携帯移動端末の表示部に現在表示されている内容についての表示情報のやり取りを簡単に行うことができる。
【００２１】
本請求項６に係る発明のアプリケーションソフトウェアによれば、請求項４に係る発明が奏する効果に加えて、ユーザーの指の動きに沿って表示情報が一方の表示部から他方の表示部へ提供されるようにして表示情報に基づいた内容が表示されるため、ユーザーは簡単に操作することができる。
【００２２】
本請求項７に係る発明のアプリケーションソフトウェアによれば、請求項５に係る発明が奏する効果に加えて、ユーザーの指の動きに沿って表示情報が一方の表示部から他方の表示部へ提供されるようにして表示情報に基づいた内容が表示されるため、ユーザーは簡単に操作することができる。
【００２３】
本請求項８に係る発明のアプリケーションソフトウェアによれば、請求項１乃至請求項７のいずれかに係る発明が奏する効果に加えて、表示部で表示されているコンテンツ内容が特定されるとともにユニフォーム・リソース・ロケータ（以下、ＵＲＬ）のリソース内容を提供するサーバにアクセス自在となるため、端末は表示情報に基づいて簡単に表示部でリソース内容を表示することができる。
【００２４】
本請求項９に係る発明のアプリケーションソフトウェアによれば、スワイプ操作により第１携帯移動端末および第２携帯移動端末の一方の表示部に表示された内容についての表示情報が他方に提供されて一方の表示部に表示された内容の少なくとも一部と同じ内容、表示された内容と関連のある内容、または表示情報の提供を受けた旨の内容が第１携帯移動端末および第２携帯移動端末の他方の表示部に表示されるため、第１携帯移動端末のユーザーは、第１携帯移動端末および第２携帯移動端末の一方の表示部に現在表示されている内容についての表示情報のやり取りを簡単に行うことができる。
【図面の簡単な説明】
【００２５】
【図１】本発明の第１実施例であるアプリケーションソフトウェアを用いた端末の動作を示す全体概略図。
【図２】本発明の第１実施例であるアプリケーションソフトウェアを用いてスマートフォン端末がサイネージ端末から表示情報を受け取る際のチャート図。
【図３】本発明の第１実施例であるアプリケーションソフトウェアを用いてサイネージ端末がスマートフォン端末から表示情報を受け取る際のチャート図。
【図４】本発明の第２実施例であるアプリケーションソフトウェアを用いた端末の動作を示す全体概略図。
【図５】本発明の第２実施例であるアプリケーションソフトウェアを用いてスマートフォン端末がサイネージ端末から表示情報を受け取る際のチャート図。
【図６】本発明の第２実施例であるアプリケーションソフトウェアを用いてサイネージ端末がスマートフォン端末から表示情報を受け取る際のチャート図。
【図７】本発明の第３実施例であるアプリケーションソフトウェアを用いた端末の動作を示す全体概略図。
【発明を実施するための形態】
【００２６】
本発明のアプリケーションソフトウェアは、携帯移動端末とサイネージ端末との間で情報をやり取りするものであって、携帯移動端末のユーザーの所定操作により、携帯移動端末およびサイネージ端末の一方の表示部で表示している内容についての表示情報を、携帯移動端末およびサイネージ端末の他方へ提供する表示情報提供ステップと、携帯移動端末およびサイネージ端末の他方が、提供された表示情報に基づいて表示部で一方の表示部に表示された内容の少なくとも一部と同じ内容、表示された内容と関連のある内容、または表示情報の提供を受けた旨の内容を表示する表示ステップとを端末に実行させることにより、携帯移動端末のユーザーは、携帯移動端末およびサイネージ端末の一方の表示部に現在表示されている内容についての表示情報のやり取りを簡単に行うことができるものであれば、その具体的な実施態様は、如何なるものであっても構わない。
また、アプリケーションソフトウェアは、第１携帯移動端末と第２携帯移動端末との間で情報をやり取りするものであって、第１携帯移動端末と第２携帯移動端末との間で互いの相手端末情報を取得して互いに相手端末を特定する相手特定ステップと、第１携帯移動端末のユーザーの第１携帯移動端末の表示部におけるスワイプ操作により、第１携帯移動端末および第２携帯移動端末の一方の表示部で表示している内容についての表示情報を、第１携帯移動端末および第２携帯移動端末の他方へ提供する表示情報提供ステップと、第１携帯移動端末および第２携帯移動端末の他方が、提供された表示情報に基づいて表示部で一方の表示部に表示された内容の少なくとも一部と同じ内容、表示された内容と関連のある内容、または表示情報の提供を受けた旨の内容を表示する表示ステップとを端末に実行させることにより、第１携帯移動端末のユーザーは、第１携帯移動端末および第２携帯移動端末の一方の表示部に現在表示されている内容についての表示情報のやり取りを簡単に行うことができるものであれば、その具体的な実施態様は、如何なるものであっても構わない。
【００２７】
例えば、携帯移動端末は、タブレット端末、携帯電話端末、スマートフォン端末など、無線通信自在であり、かつ、液晶パネルや有機ＥＬパネルなどの表示部を有してコンテンツを表示自在なものであれば如何なるものであっても構わない。
また、表示情報は、例えば、通信ネットワーク上のリソース特定情報であるユニフォーム・リソース・ロケータ情報（以下、ＵＲＬ情報）、ＵＲＬより短く、かつ、このＵＲＬへ転送する短縮ＵＲＬ情報、ＵＲＬを特定可能なタグ情報など、ＵＲＬを特定できるものや、コンテンツの場所を示す情報であるリンク先情報、テキストデータ、画像データなど表示内容のコンテンツそのものとなるものなど、表示内容のコンテンツを特定するものであれば如何なるものであっても構わない。
さらに、表示情報を受け取った側の端末が表示する内容は、提供した側の端末の表示部に表示された内容の全部、一部、その内容と関連のある内容、表示情報の提供を受けた旨の内容のいずれかであればよく、表示情報を受け取った旨の内容や、受け取ったことに対するリアクションを示す内容として、例えば「受け取りました」の旨、「登録されました」の旨や「○○ゲット！」の旨でもよい。
例えば、会場の数カ所にスタンプを表示するサイネージ端末１２０を設置し、ユーザーがスマートフォン端末１１０を持ってスタンプラリーのスタンプを各サイネージ端末１２０から２次元コードＣＤによって集めるような場合、サイネージ端末１２０に表示されたスタンプ情報を受け取ったときにスマートフォン端末１１０の表示部１１１が「スタンプゲット！」の旨を表示する構成でもよい。
【実施例１】
【００２８】
以下に、本発明の第１実施例であるアプリケーションソフトウェアについて、図１乃至図３に基づいて説明する。
ここで、図１は、本発明の第１実施例であるアプリケーションソフトウェアを用いた端末の動作を示す全体概略図であり、図２は、本発明の第１実施例であるアプリケーションソフトウェアを用いてスマートフォン端末１１０がサイネージ端末１２０から表示情報を受け取る際のチャート図であり、図３は、本発明の第１実施例であるアプリケーションソフトウェアを用いてサイネージ端末１２０がスマートフォン端末１１０から表示情報を受け取る際のチャート図である。
【００２９】
本発明では、スマートフォン端末同士における表示情報のやり取りでもよいが、スマートフォン端末１１０とサイネージ端末１２０との間における表示情報のやり取りについて以下に説明する。
本発明の第１実施例であるアプリケーションソフトウェアを用いた表示情報やり取りシステム１００は、図１に示すように、携帯移動端末の一例であるスマートフォン端末１１０と、所謂、デジタルサイネージであるサイネージ端末１２０と、サーバ１３０とを有している。
このうち、スマートフォン端末１１０は、液晶画面や有機ＥＬ画面などの表示部１１１を有し、表示部１１１において、ブラウザ１１２でコンテンツを表示するように構成されている。
また、スマートフォン端末１１０は、図示しないカメラ部と、図示しない無線通信手段とを有している。
【００３０】
サイネージ端末１２０は、スマートフォン端末１１０と同様に、液晶画面や有機ＥＬ画面などの表示部１２１を有し、表示部１２１において、ブラウザ１２２でコンテンツを表示するように構成されている。
また、サイネージ端末１２０は、カメラ部１２３と、図示しない無線通信手段とを有している。
【００３１】
本実施例では、スマートフォン端末１１０およびサイネージ端末１２０に、本発明のアプリケーションソフトウェアがインストールされている。
本発明のアプリケーションソフトウェアは、スマートフォン端末１１０とサイネージ端末１２０との間で情報をやり取りするものであり、スマートフォン端末１１０のユーザーの所定操作により、スマートフォン端末１１０およびサイネージ端末１２０の一方の表示部で表示している内容についての表示情報を、スマートフォン端末１１０およびサイネージ端末１２０の他方へ提供する表示情報提供ステップと、スマートフォン端末１１０およびサイネージ端末１２０の他方が、提供された表示情報に基づいて表示部で一方の表示部に表示された内容の少なくとも一部と同じ内容を表示する表示ステップとをスマートフォン端末１１０およびサイネージ端末１２０に実行させるように構成されている。
【００３２】
以下、本実施例では、スマートフォン端末１１０およびサイネージ端末１２０の一方が、他方の２次元コードＣＤを読み取って、他方の表示部のブラウザの内容を、一方の表示部のブラウザに表示する例について説明する。
まずは、スマートフォン端末１１０が、サイネージ端末１２０の２次元コードＣＤを読み取って、サイネージ端末１２０の表示部１２１のブラウザ１２２の内容を、スマートフォン端末１１０の表示部１１１のブラウザ１１２に表示する場合について説明する。
【００３３】
図１に示すように、ユーザーがスマートフォン端末１１０を持って、サイネージ端末１２０の前にやってきたとする。
このとき、一例として飲食店の入り口に設置されたサイネージ端末１２０は、サーバ１３０と無線通信でインターネット接続して、表示部１２１のブラウザ１２２で、一例として本日のメニューについてのコンテンツを表示しているとする。
【００３４】
そして、サイネージ端末１２０は、例えば、カメラ部１２３や人感センサ（焦電センサ）によってスマートフォン端末１１０のユーザーが正面にいることを認識することで、サイネージ端末１２０の表示部１２１のブラウザ１２２で現在表示している内容についての表示情報の一例である通信ネットワーク上のリソース特定情報であるＵＲＬ情報を２次元コードＣＤにして表示部１２１に表示する。
なお、サイネージ端末１２０は、スマートフォン端末１１０がサイネージ端末１２０に接近して赤外線などの所定の電波を受信したことをトリガーとして２次元コードＣＤを表示してもよいし、表示部１２１の一部に常に２次元コードＣＤを表示してもよい。
【００３５】
図２に示すように、ステップＳ１では、表示情報提供ステップ、携帯移動端末側読み取りステップとして、ユーザーが所定操作としてスマートフォン端末１１０のカメラ部をアクティブにする操作をし、スマートフォン端末１１０が、カメラ部を用いてサイネージ端末１２０の表示部１２１に表示された２次元コードＣＤを読み取る。
これにより、サイネージ端末１２０からスマートフォン端末１１０へ表示情報が直接提供される。
そして、ステップＳ２へ進む。
ステップＳ２では、スマートフォン端末１１０が、無線通信手段を用いて、インターネット接続し、読み取った２次元コードＣＤに記載された表示情報の一例であるＵＲＬ情報に基づいてサーバ１３０にアクセスする。そして、ステップＳ３へ進む。
【００３６】
ステップＳ３では、表示ステップ、携帯移動端末側表示ステップとして、スマートフォン端末１１０が、サーバ１３０からリソース情報を受信して表示部１１１のブラウザ１１２でコンテンツを表示する。
これにより、所定操作としてスマートフォン端末１１０のカメラ部をアクティブにする操作をしてサイネージ端末１２０の２次元コードＣＤを読み込ませるだけで、サイネージ端末１２０のブラウザ１２２に表示された内容と同じ内容がスマートフォン端末１１０のブラウザ１１２に表示される。
【００３７】
その結果、スマートフォン端末１１０のユーザーは、サイネージ端末１２０のブラウザ１２２に現在表示されている内容についての表示情報のやり取りを簡単に行うことができる。
さらに、スマートフォン端末１１０のユーザーは、サイネージ端末１２０とスマートフォン端末１１０との間のセキュリティの問題なく表示情報のやり取りを行うことができる。
【００３８】
なお、一例としてサイネージ端末１２０の表示部１２１のブラウザ１２２で表示したコンテンツと同じ内容を、スマートフォン端末１１０の表示部１１１のブラウザ１１２で表示する説明をしたが、全く同じでなくてもよい。
例えば、サイネージ端末１２０の表示部１２１で表示したコンテンツの一部の情報のみが、スマートフォン端末１１０の表示部１１１で表示する構成でもよい。
サイネージ端末１２０で表示されたコンテンツのうち、写真画像データを除いた数値（例えば、株価の数値）や説明文などのテキストデータのみを２次元コードＣＤにして、スマートフォン端末１１０に読み取らせて表示させてもよい。
つまり、２次元コードＣＤにして読み取らせる情報は、ＵＲＬ情報に限らない。
サイネージ端末１２０の表示部１２１で表示したコンテンツで、内容の全部または一部にするか、また、一部である場合はどの部分にするかは、サイネージ端末１２０側で予め設定されており、スマートフォン端末１１０は、サイネージ端末１２０側で予め設定（許可）された範囲のコンテンツの情報を読み取って表示する構成である。
また、スマートフォン端末１１０が、サイネージ端末１２０のブラウザ１２２に現在表示されている内容についての表示情報を受け取って例えば「受け取りました」や「○○ゲット！」などの受け取った旨をリアクションとして表示部１１２に表示すればよく、必ずしもサイネージ端末１２０の表示部１２１に表示された内容の少なくとも一部と同じ内容を表示しなくてもよい。
【００３９】
続いて、サイネージ端末１２０が、スマートフォン端末１１０の２次元コード（図示せず）を読み取って、スマートフォン端末１１０の表示部１１１のブラウザ１１２の内容を、サイネージ端末１２０の表示部１２１のブラウザ１２２に表示する場合について説明する。
まず、スマートフォン端末１１０が、サーバ１３０と無線通信でインターネット接続して、表示部１１１のブラウザ１１２で、一例として飲食店の店舗用の本日のメニューについてのコンテンツを表示しているとする。
【００４０】
ユーザーが所定操作の一例として所定のボタン操作をすると、スマートフォン端末１１０は、スマートフォン端末１１０の表示部１１１のブラウザ１１２で現在表示している内容についてのＵＲＬ情報を２次元コードにして表示部１１１に表示する。
そして、ユーザーは、スマートフォン端末１１０の表示部１１１をサイネージ端末１２０のカメラ部１２３へ向ける。
【００４１】
すると、図３のステップＳ１１では、サイネージ端末１２０が、カメラ部１２３を用いて正面に２次元コードがあるか否かを判定する。
スマートフォン端末１１０が正面にあり、スマートフォン端末１１０の表示部１１１の２次元コードを識別できた場合は、ステップＳ１２へ進み、２次元コードを識別できなかった場合は、ステップＳ１１を繰り返す。
【００４２】
ステップＳ１２では、表示情報提供ステップ、サイネージ端末側読み取りステップとして、サイネージ端末１２０が、カメラ部１２３を用いてスマートフォン端末１１０の表示部１１１の２次元コードを読み取る。
これにより、スマートフォン端末１１０からサイネージ端末１２０へ表示情報が直接提供される。
そして、ステップＳ１３に進む。
ステップＳ１３では、サイネージ端末１２０が、無線通信手段を用いて、インターネット接続し、読み取った２次元コードに記載された表示情報の一例であるＵＲＬ情報に基づいてサーバ１３０にアクセスする。そして、ステップＳ１４へ進む。
【００４３】
ステップＳ１４では、表示ステップ、サイネージ端末側表示ステップとして、サイネージ端末１２０が、サーバ１３０からリソース情報を受信して表示部１２１のブラウザ１２２でコンテンツを表示する。
これにより、所定操作としてスマートフォン端末１１０の表示部１１１で表示している内容についての表示情報を２次元コードで表示する操作をしてスマートフォン端末１１０の２次元コードをサイネージ端末１２０に読み込ませるだけで、スマートフォン端末１１０の表示部１１１のブラウザ１１２に表示された内容と同じ内容がサイネージ端末１２０の表示部１２１のブラウザ１２２に表示される。
【００４４】
その結果、スマートフォン端末１１０のユーザーは、スマートフォン端末１１０の表示部１１１のブラウザ１１２に現在表示されている内容についての表示情報のやり取りを簡単に行うことができる。
さらに、スマートフォン端末１１０のユーザーは、サイネージ端末１２０とスマートフォン端末１１０との間のセキュリティの問題なく表示情報のやり取りを行うことができる。
【００４５】
なお、前述したサイネージ端末１２０側からスマートフォン端末１１０側への表示情報の提供と同様、一例としてスマートフォン端末１１０の表示部１１１のブラウザ１１２で表示したコンテンツと同じ内容を、サイネージ端末１２０の表示部１２１のブラウザ１２２で表示する説明をしたが、全く同じでなくてもよい。
例えば、スマートフォン端末１１０の表示部１１１で表示したコンテンツの一部の情報のみが、サイネージ端末１２０の表示部１２１で表示する構成でもよい。
また、サイネージ端末１２０が、スマートフォン端末１１０のブラウザ１１２に現在表示されている個人情報の内容についての表示情報を受け取って例えば「登録されました」などの受け取った旨をリアクションとして表示部１２２に表示すればよく、必ずしもスマートフォン端末１１０の表示部１１１に表示された内容の少なくとも一部と同じ内容を表示しなくてもよい。
さらに、本実施例では、スマートフォン端末１１０とサイネージ端末１２０との間における表示情報のやり取りについて説明したが、スマートフォン端末同士における表示情報のやり取りでもよいのは勿論である。スマートフォン端末１１０とサイネージ端末１２０との間における表示情報のやり取りと同様であるので、その詳しい説明は省略する。
【００４６】
このようにして得られた本発明の第１実施例であるアプリケーションソフトウェアは、携帯移動端末の一例であるスマートフォン端末１１０のユーザーの所定操作により、スマートフォン端末１１０およびサイネージ端末１２０の一方の表示部で表示している内容についての表示情報を、スマートフォン端末１１０およびサイネージ端末１２０の他方へ提供する表示情報提供ステップＳ１、Ｓ１２と、スマートフォン端末１１０およびサイネージ端末１２０の他方が、提供された表示情報に基づいて表示部で一方の表示部に表示された内容の少なくとも一部と同じ内容、表示された内容と関連のある内容、または表示情報の提供を受けた旨の内容を表示する表示ステップＳ３、Ｓ１４とを端末の一例であるスマートフォン端末１１０およびサイネージ端末１２０に実行させることにより、スマートフォン端末１１０のユーザーは、スマートフォン端末１１０およびサイネージ端末１２０の一方の表示部に現在表示されている内容についての表示情報のやり取りを簡単に行うことができる。
【００４７】
さらに、表示情報提供ステップＳ１は、サイネージ端末１２０の表示部１２１のブラウザ１２２上に表示された内容についての表示情報がサイネージ端末１２０において２次元コードＣＤで表示され、スマートフォン端末１１０のカメラ部を用いてサイネージ端末１２０に表示された２次元コードＣＤを読み取る携帯移動端末側読み取りステップＳ１であり、表示ステップＳ３は、スマートフォン端末１１０が、読み取った２次元コードＣＤに記載された表示情報に基づいて表示部１１１のブラウザ１１２上でサイネージ端末１２０の表示部１２１のブラウザ１２２上に表示された内容の少なくとも一部と同じ内容、表示された内容と関連のある内容、または表示情報の提供を受けた旨の内容を表示する携帯移動端末側表示ステップＳ３であることにより、スマートフォン端末１１０のユーザーは、サイネージ端末１２０とスマートフォン端末１１０との間のセキュリティの問題なく表示情報のやり取りを行うことができる。
【００４８】
また、表示情報提供ステップＳ１２は、スマートフォン端末１１０の表示部１１１のブラウザ１１２上に表示された内容についての表示情報がスマートフォン端末１１０において２次元コード（図示せず）で表示され、サイネージ端末１２０のカメラ部１２３を用いてスマートフォン端末１１０に表示された２次元コードを読み取るサイネージ端末側読み取りステップＳ１２であり、表示ステップＳ１４は、サイネージ端末１２０が、読み取った２次元コードに記載された表示情報に基づいて表示部１２１のブラウザ１２２上でスマートフォン端末１１０の表示部１１１のブラウザ１１２上に表示された内容の少なくとも一部と同じ内容、表示された内容と関連のある内容、または表示情報の提供を受けた旨の内容を表示するサイネージ端末側表示ステップＳ１４であることにより、スマートフォン端末１１０のユーザーは、サイネージ端末１２０とスマートフォン端末１１０との間のセキュリティの問題なく表示情報のやり取りを行うことができる。
【００４９】
さらに、表示情報が、通信ネットワーク上のリソース特定情報であるユニフォーム・リソース・ロケータ情報、または、ユニフォーム・リソース・ロケータより短く、かつ、ユニフォーム・リソース・ロケータへ転送する短縮ユニフォーム・リソース・ロケータ情報であることにより、端末の一例であるスマートフォン端末１１０およびサイネージ端末１２０は表示情報に基づいて簡単に表示部１１１、１２１のブラウザ１１２、１２２でリソース内容を表示することができるなど、その効果は甚大である。
【実施例２】
【００５０】
続いて、本発明の第２実施例であるアプリケーションソフトウェアについて、図４乃至図６に基づいて説明する。
ここで、図４は、本発明の第２実施例であるアプリケーションソフトウェアを用いた端末の動作を示す全体概略図であり、図５は、本発明の第２実施例であるアプリケーションソフトウェアを用いてスマートフォン端末１１０がサイネージ端末１２０から表示情報を受け取る際のチャート図であり、図６は、本発明の第２実施例であるアプリケーションソフトウェアを用いてサイネージ端末１２０がスマートフォン端末１１０から表示情報を受け取る際のチャート図である。
第２実施例のアプリケーションソフトウェアは、第１実施例のアプリケーションソフトウェアの表示情報の提供の仕方を変更したものであり、多くの要素について第１実施例のアプリケーションソフトウェアと共通するので、共通する事項については詳しい説明を省略する。
【００５１】
本発明の第２実施例であるアプリケーションソフトウェアを用いた表示情報やり取りシステム１００は、図３に示すように、携帯移動端末の一例であるスマートフォン端末１１０と、サイネージ端末１２０と、サーバ１３０とを有している。
以下、本実施例では、スマートフォン端末１１０のユーザーが、スマートフォン端末１１０の表示部１１１を手ＨＤでスワイプ操作して、スマートフォン端末１１０とサイネージ端との間で、一方の表示部のブラウザの内容を他方の表示部のブラウザに表示する例について説明する。
まずは、スマートフォン端末１１０が、サイネージ端末１２０からサーバ１３０を介して表示情報を受け取って、サイネージ端末１２０の表示部１２１のブラウザ１２２の内容を、スマートフォン端末１１０の表示部１１１のブラウザ１１２に表示する場合について説明する。
【００５２】
図４に示すように、ユーザーがスマートフォン端末１１０を持って、サイネージ端末１２０の前にやってきたとする。
このとき、一例として飲食店の入り口に設置されたサイネージ端末１２０は、サーバ１３０と無線通信でインターネット接続して、表示部１２１のブラウザ１２２で、一例として本日のメニューについてのコンテンツを表示しているとする。
そして、サイネージ端末１２０およびスマートフォン端末１１０は、例えば、近距離用の赤外線通信などの互いの無線通信手段によって直ぐ近くの相手端末の存在を認識する。
【００５３】
図５に示すように、ステップＳ２１では、スマートフォン端末１１０が、無線通信手段を用いて直ぐ近くに通信可能な端末があるか否かを判定する。
通信可能な端末があると判定した場合は、ステップＳ２２へ進み、ないと判定した場合は、ステップＳ２１を繰り返す。
なお、スマートフォン端末１１０がサイネージ端末１２０の存在を確認したとき、同様に、サイネージ端末１２０もスマートフォン端末１１０を確認するものとする。
【００５４】
ステップＳ２２では、相手特定ステップとして、スマートフォン端末１１０が、サイネージ端末１２０のＩＤなど識別自在な端末情報を読み取る。
これにより、情報のやり取りの相手端末が特定される。そして、ステップＳ２３へ進む。
ステップＳ２３では、表示情報提供ステップ、サイネージ端末側表示情報提供ステップとして、先ず、第１所定操作として、スマートフォン端末１１０のユーザーが、スマートフォン端末１１０の表示部１１１においてサイネージ端末１２０側からスマートフォン端末１１０側へ（ユーザーの前方から手前側へ）の手ＨＤでスワイプ操作をする。
【００５５】
これをトリガーとして、スマートフォン端末１１０が、サーバ１３０を介してサイネージ端末１２０へサイネージ端末１２０の表示部１２１のブラウザ１２２で現在表示している内容についての表示情報の要求を送信する。
ここで、サーバ１３０は、I/Oの結果を待たずに処理を進める構成（ノンブロッキングI/O方式、イベント駆動型プログラミング・モデルともいう）であり、所謂、プッシュ通知する。
これにより、データのやり取りを瞬時に行うことができる。
【００５６】
サーバ１３０がスマートフォン端末１１０から要求を受信すると、サーバ１３０は、直ぐサイネージ端末１２０にその要求を送信する。
サイネージ端末１２０が、その要求を受信すると、サイネージ端末１２０の表示部１２１のブラウザ１２２で現在表示している内容についての表示情報の一例としてＵＲＬ情報を、スマートフォン端末１１０宛てでサーバ１３０へ送信する。
サーバ１３０が、スマートフォン端末１１０に対してデータを受信した旨を通知すると、スマートフォン端末１１０が、サーバ１３０にアクセスしてサイネージ端末１２０からのＵＲＬ情報を受け取る。つまり、受信する。
そして、ステップＳ２４へ進む。
【００５７】
ステップＳ２４では、表示ステップ、携帯移動端末側表示ステップとして、スマートフォン端末１１０が、無線通信手段を用いて、インターネット接続し、ステップＳ２３で受信した表示情報の一例であるＵＲＬ情報に基づいてサーバ１３０にアクセスする。
そして、スマートフォン端末１１０が、サーバ１３０からリソース情報を受信して表示部１１１のブラウザ１１２でコンテンツを表示する。
【００５８】
これにより、第１所定操作としてスマートフォン端末１１０のユーザーが、スマートフォン端末１１０の表示部１１１においてサイネージ端末１２０側からスマートフォン端末１１０側へ（ユーザーの前方から手前側へ）の手ＨＤでスワイプ操作をするだけで、サイネージ端末１２０の表示部１２１のブラウザ１２２に表示された内容と同じ内容がスマートフォン端末１１０の表示部１１１のブラウザ１１２に表示される。
つまり、ユーザーの指の動きに沿って表示情報がサイネージ端末１２０の表示部１２１からスマートフォン端末１１０の表示部１１１へ提供されるようにして表示情報に基づいた内容が表示部１１１のブラウザ１１２に表示される。
その結果、スマートフォン端末１１０のユーザーは、サイネージ端末１２０の表示部１２１のブラウザ１２２に現在表示されている内容についての表示情報のやり取りを簡単に行うことができる。
【００５９】
なお、ステップＳ２４において、ＵＲＬ情報に基づくアクセス先のサーバ１３０は、ステップＳ２３におけるＵＲＬ情報を送信するために用いたサーバ１３０と同じでもよいし、別のものでもよいのは勿論である。
また、ステップＳ２３において、一例としてサーバ１３０を介してスマートフォン端末１１０とサイネージ端末１２０との間でＵＲＬ情報のやり取りをしたが、サーバ１３０を介さずに互いの無線通信手段を用いてスマートフォン端末１１０とサイネージ端末１２０との間で直接やり取りをしてもよい。
さらに、ステップＳ２３において、表示部１２１で表示している内容のデータそのものを、サーバ１３０を介してスマートフォン端末１１０とサイネージ端末１２０との間でやり取りしてもよいし、サーバ１３０を介さずに互いの無線通信手段を用いてスマートフォン端末１１０とサイネージ端末１２０との間で直接やり取りしてもよい。
また、前述した実施例と同様、一例としてサイネージ端末１２０の表示部１２１のブラウザ１２２で表示したコンテンツと同じ内容を、スマートフォン端末１１０の表示部１１１のブラウザ１１２で表示する説明をしたが、全く同じでなくてもよい。
例えば、サイネージ端末１２０の表示部１２１で表示したコンテンツの一部の情報のみを、スマートフォン端末１１０の表示部１１１で表示する構成でもよい。
また、スマートフォン端末１１０が、サイネージ端末１２０のブラウザ１２２に現在表示されている内容についての表示情報を受け取って例えば「受け取りました」や「○○ゲット！」などの受け取った旨をリアクションとして表示部１１２に表示すればよく、必ずしもサイネージ端末１２０の表示部１２１に表示された内容の少なくとも一部と同じ内容を表示しなくてもよい。
例えば、会場の数カ所にスタンプを表示するサイネージ端末１２０を設置し、ユーザーがスマートフォン端末１１０を持ってスタンプラリーのスタンプを各サイネージ端末１２０からスワイプ操作によって集めるような場合、サイネージ端末１２０に表示されたスタンプ情報を受け取ったときにスマートフォン端末１１０の表示部１１１が「スタンプゲット！」の旨を表示する構成でもよい。
【００６０】
続いて、サイネージ端末１２０が、スマートフォン端末１１０からサーバ１３０を介して表示情報を受け取って、スマートフォン端末１１０の表示部１１１のブラウザ１１２の内容を、サイネージ端末１２０の表示部１２１のブラウザ１２２に表示する場合について説明する。
図４に示すように、飲食店の店長であるユーザーがスマートフォン端末１１０を持って、サイネージ端末１２０の前にやってきたとする。
このとき、スマートフォン端末１１０は、一例としてサーバ１３０と無線通信でインターネット接続して、表示部１１１のブラウザ１１２で、飲食店用の本日のメニューについてのコンテンツを表示しているとする。
そして、サイネージ端末１２０およびスマートフォン端末１１０は、例えば、近距離用の赤外線通信などの互いの無線通信手段によって直ぐ近くの相手端末の存在を認識する。
【００６１】
図６に示すように、ステップＳ３１では、サイネージ端末１２０が、無線通信手段を用いて直ぐ近くに通信可能な端末があるか否かを判定する。
通信可能な端末があると判定した場合は、ステップＳ３２へ進み、ないと判定した場合は、ステップＳ３１を繰り返す。
なお、サイネージ端末１２０がスマートフォン端末１１０の存在を確認したとき、同様に、スマートフォン端末１１０もサイネージ端末１２０を確認するものとする。
【００６２】
ステップＳ３２では、相手特定ステップとして、サイネージ端末１２０が、スマートフォン端末１１０のＩＤなど識別自在な端末情報を読み取る。
これにより、情報のやり取りの相手端末が特定される。そして、ステップＳ３３へ進む。
ステップＳ３３では、表示情報提供ステップ、携帯移動端末側表示情報提供ステップとして、第２所定操作として、スマートフォン端末１１０のユーザーが、スマートフォン端末１１０の表示部１１１においてスマートフォン端末１１０側からサイネージ端末１２０側へ（ユーザーの手前側から前方へ）の手ＨＤでスワイプ操作をする。
これをトリガーとして、スマートフォン端末１１０が、スマートフォン端末１１０の表示部１１１のブラウザ１１２で現在表示している内容についての表示情報の一例としてＵＲＬ情報を、サイネージ端末１２０宛てでサーバ１３０へ送信する。
【００６３】
サーバ１３０が、サイネージ端末１２０に対してデータを受信した旨を通知すると、サイネージ端末１２０が、サーバ１３０にアクセスしてスマートフォン端末１１０からのＵＲＬ情報を受け取る。つまり、受信する。そして、ステップＳ３４へ進む。
ここで、サーバ１３０は、前述したように、I/Oの結果を待たずに処理を進める構成（ノンブロッキングI/O方式、イベント駆動型プログラミング・モデルともいう）であり、所謂、プッシュ通知する。
これにより、データのやり取りを瞬時に行うことができる。
【００６４】
ステップＳ３４では、表示ステップ、サイネージ端末側表示ステップとして、サイネージ端末１２０が、無線通信手段を用いて、インターネット接続し、ステップＳ３３で受信した表示情報の一例であるＵＲＬ情報に基づいてサーバ１３０にアクセスする。
そして、サイネージ端末１２０が、サーバ１３０からリソース情報を受信して表示部１２１のブラウザ１２２でコンテンツを表示する。
【００６５】
これにより、第２所定操作としてスマートフォン端末１１０のユーザーが、スマートフォン端末１１０の表示部１１１においてスマートフォン端末１１０側からサイネージ端末１２０側へ（ユーザーの手前側から前方へ）の手ＨＤでスワイプ操作をするだけで、スマートフォン端末１１０の表示部１１１のブラウザ１１２に表示された内容と同じ内容がサイネージ端末１２０の表示部１２１のブラウザ１２２に表示される。
つまり、ユーザーの指の動きに沿って表示情報がスマートフォン端末１１０の表示部１１１からサイネージ端末１２０の表示部１２１へ提供されるようにして表示情報に基づいた内容が表示部１２１のブラウザ１２２に表示される。
その結果、スマートフォン端末１１０のユーザーは、スマートフォン端末１１０の表示部１１１のブラウザ１１２に現在表示されている内容についての表示情報のやり取りを簡単に行うことができる。
【００６６】
なお、スマートフォン端末１１０が、サイネージ端末１２０からサーバ１３０を介して表示情報を受け取って、サイネージ端末１２０の表示部１２１のブラウザ１２２の内容を、スマートフォン端末１１０の表示部１１１のブラウザ１１２に表示する場合と同様、ステップＳ３３において、サーバ１３０を介さずにスマートフォン端末１１０とサイネージ端末１２０との間で直接やり取りをしてもよいし、表示部１１１で表示している内容のデータそのものをやり取りしてもよい。
また、前述した実施例と同様、一例としてスマートフォン端末１１０の表示部１１１のブラウザ１１２で表示したコンテンツと同じ内容を、サイネージ端末１２０の表示部１２１のブラウザ１２２で表示する説明をしたが、全く同じでなくてもよい。
例えば、スマートフォン端末１１０の表示部１１１で表示したコンテンツの一部の情報のみを、サイネージ端末１２０の表示部１２１で表示する構成でもよい。
また、サイネージ端末１２０が、スマートフォン端末１１０のブラウザ１１２に現在表示されている個人情報の内容についての表示情報を受け取って例えば「登録されました」などの受け取った旨をリアクションとして表示部１２２に表示すればよく、必ずしもスマートフォン端末１１０の表示部１１１に表示された内容の少なくとも一部と同じ内容を表示しなくてもよい。
本実施例では、スマートフォン端末１１０とサイネージ端末１２０との間における表示情報のやり取りについて説明したが、スワイプ操作によるスマートフォン端末同士における表示情報のやり取りでもよいのは勿論である。相手ユーザーが相手側スマートフォン端末のアプリケーションソフトウェアにおいて表示情報のやり取りの許可の操作をする他は、スマートフォン端末１１０とサイネージ端末１２０との間における表示情報のやり取りと同様であるので、その詳しい説明は省略する。
【００６７】
このようにして得られた本発明の第２実施例であるアプリケーションソフトウェアは、スマートフォン端末１１０とサイネージ端末１２０との間で互いの相手端末情報を取得して互いに相手端末を特定する相手特定ステップＳ２２と、表示情報提供ステップＳ２３として、スマートフォン端末１１０におけるユーザーの第１所定操作の一例としてのサイネージ端末１２０側からスマートフォン端末１１０側へのスワイプ操作により、サイネージ端末１２０に表示された表示部１２１の表示情報をスマートフォン端末１１０がサイネージ端末１２０に要求し、サイネージ端末１２０が表示情報を送信し、スマートフォン端末１１０が表示情報を受信するサイネージ端末側表示情報提供ステップＳ２３と、表示ステップＳ２４として、スマートフォン端末１１０が受信した表示情報に基づいて表示部１１１でサイネージ端末１２０の表示部１２１に表示された内容の少なくとも一部と同じ内容、表示された内容と関連のある内容、または表示情報の提供を受けた旨の内容を表示する携帯移動端末側表示ステップＳ２４とを端末の一例であるスマートフォン端末１１０およびサイネージ端末１２０に実行させることにより、スマートフォン端末１１０のユーザーは、サイネージ端末１２０の表示部１２１のブラウザ１２２に現在表示されている内容についての表示情報のやり取りを簡単に行うことができる。
【００６８】
さらに、第２実施例であるアプリケーションソフトウェアは、スマートフォン端末１１０とサイネージ端末１２０との間で互いの相手端末情報を取得して互いに相手端末を特定する相手特定ステップＳ３２と、表示情報提供ステップＳ３３として、スマートフォン端末１１０におけるユーザーの第２所定操作の一例としてのスマートフォン端末１１０側からサイネージ端末１２０側へのスワイプ操作により、スマートフォン端末１１０に表示された表示部１１１の表示情報を送信し、サイネージ端末１２０が表示情報を受信する携帯移動端末側表示情報提供ステップＳ３３と、表示ステップＳ３４として、サイネージ端末１２０が受信した表示情報に基づいて表示部１２１でスマートフォン端末１１０の表示部１１１に表示された内容の少なくとも一部と同じ内容、表示された内容と関連のある内容、または表示情報の提供を受けた旨の内容を表示するサイネージ端末側表示ステップＳ３４とを端末の一例であるスマートフォン端末１１０およびサイネージ端末１２０に実行させることにより、スマートフォン端末１１０のユーザーは、スマートフォン端末１１０の表示部１１１のブラウザ１１２に現在表示されている内容についての表示情報のやり取りを簡単に行うことができる。
【００６９】
また、第２実施例であるアプリケーションソフトウェアは、第１携帯移動端末の一例である第１スマートフォン端末と第２携帯移動端末の一例である第２スマートフォン端末との間で情報をやり取りするものであって、第１スマートフォン端末と第２スマートフォン端末との間で互いの相手端末情報を取得して互いに相手端末を特定する相手特定ステップＳ２２、Ｓ３２と、第１スマートフォン端末のユーザーの第１スマートフォン端末の表示部におけるスワイプ操作により、第１スマートフォン端末および第２スマートフォン端末の一方の表示部で表示している内容についての表示情報を、第１スマートフォン端末および第２スマートフォン端末の他方へ提供する表示情報提供ステップＳ２３、Ｓ３３と、第１スマートフォン端末および第２スマートフォン端末の他方が、提供された表示情報に基づいて表示部で一方の表示部に表示された内容の少なくとも一部と同じ内容、表示された内容と関連のある内容、または表示情報の提供を受けた旨の内容を表示する表示ステップＳ２４、Ｓ３４とを第１スマートフォン端末および第２スマートフォン端末に実行させることにより、第１スマートフォン端末のユーザーは、第１スマートフォン端末および第２スマートフォン端末の一方の表示部に現在表示されている内容についての表示情報のやり取りを簡単に行うことができるなど、その効果は甚大である。
【実施例３】
【００７０】
続いて、本発明の第３実施例であるアプリケーションソフトウェアについて、図７に基づいて説明する。
ここで、図７は、本発明の第３実施例であるアプリケーションソフトウェアを用いた端末の動作を示す全体概略図である。
第３実施例のアプリケーションソフトウェアは、第１実施例のアプリケーションソフトウェアの表示情報の提供の仕方を変更したものであり、多くの要素について第１実施例および第２実施例のアプリケーションソフトウェアと共通するので、共通する事項については詳しい説明を省略する。
【００７１】
本発明の第３実施例であるアプリケーションソフトウェアを用いた表示情報やり取りシステム１００は、図７に示すように、携帯移動端末の一例であるスマートフォン端末１１０と、サイネージ端末１２０とを有している。
例えば、スマートフォン端末１１０のユーザーが、所定操作としてスマートフォン端末１１０をアプリケーションソフトウェアにおいて受信自在状態にするとともにスマートフォン端末１１０の表示部１１１と反対側をサイネージ端末１２０の表示部１２１と接触させる。
【００７２】
すると、前述した第２実施例と同様、これをトリガーとして、スマートフォン端末１１０が、サーバ１３０を介してサイネージ端末１２０へサイネージ端末１２０の表示部１２１のブラウザ１２２で現在表示している内容についての表示情報の要求を送信する。
サイネージ端末１２０が、その要求を受信すると、サイネージ端末１２０の表示部１２１のブラウザ１２２で現在表示している内容についての表示情報の一例としてＵＲＬ情報を、スマートフォン端末１１０宛てでサーバ１３０へ送信する。
【００７３】
サーバ１３０が、スマートフォン端末１１０に対してデータを受信した旨を通知すると、スマートフォン端末１１０が、サーバ１３０にアクセスしてサイネージ端末１２０からのＵＲＬ情報を受け取る。つまり、受信する。
すると、スマートフォン端末１１０が、無線通信手段を用いて、インターネット接続し、先ほど受信した表示情報の一例であるＵＲＬ情報に基づいてサーバ１３０にアクセスする。
そして、スマートフォン端末１１０が、サーバ１３０からリソース情報を受信して表示部１１１のブラウザ１１２でコンテンツを表示する。
【００７４】
これにより、所定操作としてスマートフォン端末１１０のユーザーが、スマートフォン端末１１０をアプリケーションソフトウェアにおいて受信自在状態にするとともにスマートフォン端末１１０の表示部１１１と反対側をサイネージ端末１２０の表示部１２１と接触させるだけで、サイネージ端末１２０のブラウザ１２２に表示された内容と同じ内容、表示された内容と関連のある内容、または表示情報の提供を受けた旨の内容がスマートフォン端末１１０のブラウザ１１２に表示される。
【００７５】
反対に、サイネージ端末１２０がアプリケーションソフトウェアにおいて受信自在状態にあるとき、例えば、飲食店の店長であるスマートフォン端末１１０のユーザーが、スマートフォン端末１１０の表示部１１１に飲食店用のメニューのコンテンツを表示させた状態で、スマートフォン端末１１０の表示部１１１と反対側をサイネージ端末１２０の表示部１２１と接触させてもよい。
これをトリガーとして、スマートフォン端末１１０が、スマートフォン端末１１０の表示部１１１のブラウザ１１２で現在表示している内容についての表示情報の一例としてＵＲＬ情報を、サイネージ端末１２０宛てでサーバ１３０へ送信する。
【００７６】
サーバ１３０が、サイネージ端末１２０に対してデータを受信した旨を通知すると、サイネージ端末１２０が、サーバ１３０にアクセスしてスマートフォン端末１１０からのＵＲＬ情報を受け取る。つまり、受信する。
すると、サイネージ端末１２０が、無線通信手段を用いて、インターネット接続し、先ほど受信した表示情報の一例であるＵＲＬ情報に基づいてサーバ１３０にアクセスする。
そして、サイネージ端末１２０が、サーバ１３０からリソース情報を受信して表示部１２１のブラウザ１２２でコンテンツを表示する。
【００７７】
これにより、所定操作としてスマートフォン端末１１０のユーザーが、スマートフォン端末１１０の表示部１１１と反対側をサイネージ端末１２０の表示部１２１と接触させるだけで、スマートフォン端末１１０のブラウザ１１２に表示された内容と同じ内容、表示された内容と関連のある内容、または表示情報の提供を受けた旨の内容がサイネージ端末１２０のブラウザ１２２に表示される。
飲食店用のメニューのコンテンツを表示させる例を説明したが、これに限らない。
例えば、プレゼンテーションにおいて、発表用資料をサイネージ端末１２０に表示させてもよい。
なお、本実施例では、スマートフォン端末１１０とサイネージ端末１２０との間における表示情報のやり取りについて説明したが、互いに端末を接触させる操作によるスマートフォン端末同士における表示情報のやり取りでもよいのは勿論である。相手ユーザーが相手側スマートフォン端末のアプリケーションソフトウェアにおいて表示情報のやり取りの許可の操作をする他は、スマートフォン端末１１０とサイネージ端末１２０との間における表示情報のやり取りと同様であるので、その詳しい説明は省略する。
【符号の説明】
【００７８】
１００  ・・・  表示情報やり取りシステム
１１０  ・・・  スマートフォン端末（携帯移動端末）
１１１  ・・・  （スマートフォン端末の）表示部
１１２  ・・・  （スマートフォン端末の）ブラウザ
１２０  ・・・  サイネージ端末
１２１  ・・・  （サイネージ端末の）表示部
１２２  ・・・  （サイネージ端末の）ブラウザ
１２３  ・・・  （サイネージ端末の）カメラ部
１３０  ・・・  サーバ
ＣＤ    ・・・  ２次元コード
ＨＤ    ・・・  （ユーザーの）手
【図１】
2019045941.tif 000003
【図２】
2019045941.tif 000004
【図３】
2019045941.tif 000005
【図４】
2019045941.tif 000006
【図５】
2019045941.tif 000007
【図６】
2019045941.tif 000008
【図７】
2019045941.tif 000009